(57)【要約】【課題】  素早く且つ簡単に、その運転状態に対応した表示に切り替えることができ、設置コストの低減にも貢献し、さらにドア装置全体の意匠性も損ねることのない運転状態表示セットを提供する。【解決手段】  ドア装置に固定して取り付けられる磁性体材料からなる基台シート１０と、前記基台シート１０に磁力によって着け外し可能にされた磁性体材料からなる複数の取替シート２０とを有し、複数種類の運転状態のそれぞれに対応して運転状態を表示する複数種類の文字及び絵のそれぞれが、基台シート１０及び取替シート２０のそれぞれの表示側外面１１，２１に記載されて構成されている。【選択図】  図２  
0003116248.tif 000002
【実用新案登録請求の範囲】
【請求項１】
複数種類の運転状態を択一的に選択することができるドア装置の、選択された運転状態を表示する運転状態表示セットであって、
前記ドア装置に固定して取り付けられる磁性体材料からなる基台シートと、前記基台シートに磁力によって着け外し可能にされた磁性体材料からなる複数の取替シートとを有し、
前記複数種類の運転状態のそれぞれに対応して前記運転状態を表示する複数種類の文字及び絵のそれぞれが、前記基台シート及び前記取替シートのそれぞれの表示側外面に設けられていることを特徴とする運転状態表示セット。
【請求項２】
前記基台シートが鉄製の薄板からなり、前記取替シートが軟性磁性体材料で形成されたシートからなることを特徴とする請求項１に記載の運転状態表示セット。
【請求項３】
前記基台シートが、前記ドア装置を構成するドア本体の一部で構成されていることを特徴とする請求項１または請求項２に記載の運転状態表示セット。
【請求項４】
前記取替シート同士が、磁力によって互いに着け外し可能にされていることを特徴とする請求項１から請求項３の何れか一項に記載の運転状態表示セット。
【請求項５】
前記複数種類の文字及び絵のうち、異なる２種類の文字及び絵のそれぞれが設けられる表示側外面が、前記取替シートの両面に設けられていることを特徴とする請求項１から請求項４の何れか一項に記載の運転状態表示セット。
【請求項６】
前記文字及び絵が、「自動ドア」、「半自動ドア」、「アシストドア」、「手動ドア」のうちの何れか若しくは全てを、互いに識別可能に記載して構成されていることを特徴とする請求項１から請求項５の何れか一項に記載の運転状態表示セット。
【考案の詳細な説明】
【技術分野】
【０００１】
この考案は、ドア装置の運転状態を識別可能に表示する運転状態表示セットに関する。
【背景技術】
【０００２】
従来から、ドア本体と、このドア本体をスライド移動させる駆動モータとを備え、ドア本体をスライド移動させて出入口の開け閉めを行うドア装置が提供されている。この種のドア装置には、一般に、駆動モータを制御する制御装置が内蔵されており、この制御装置には、複数種類の運転状態が備えられ、駆動モータは、その複数種類の運転状態で回転駆動が制御される。
【０００３】
例えば、通常の自動ドア装置のように、ドア本体に接近してきた人間を、設けられた適宜の検出器によって検出した場合、この備えられた駆動モータによって、ドア本体をスライド移動させるように制御運転したり、ドア本体を開けようとしたり閉めようとしたりするスライド移動の際に、このスライド移動を補助（アシスト）するように制御運転したりするような、複数種類の運転状態を備えるドア装置が提供されている。なお、その種々の制御運転は、ドア装置を管理する者が、任意で選択することができるものとなっている。
【０００４】
一方、通行人は、上述したドア装置が、現在、何れの運転状態で制御運転されているかを識別し難い。そこで、従来においては、このドア装置の近傍に、現在の運転状態を表示する識別標識等を設置し、このドア装置の運転状態を通行者に知らせていた。
【考案の開示】
【考案が解決しようとする課題】
【０００５】
ところが、上述したような識別標識を設置する方法にあっては、設置された識別標識が通行の邪魔になってしまう問題が新たに発生していた。また、識別標識を設置した場合には、運転状態が切り替えられた際の表示の切り替えも煩雑で、設置するためのコストも嵩み、さらに、全体としての美観も損ねる具合の悪さが指摘されていた。
【０００６】
この考案は、このような事情に鑑みなされたものであって、その目的は、複数種類の運転状態を択一的に選択することができるドア装置の、選択された運転状態を識別可能に表示するものであって、運転状態が切り替えられた際に、素早く且つ簡単に、その運転状態に対応した表示に切り替えることができ、設置コストの低減にも貢献し、さらにドア装置全体の意匠性も損ねることのない運転状態表示セットを提供することにある。
【課題を解決するための手段】
【０００７】
上述した課題を解決するために、この考案は、以下の手段の運転状態表示セットを提供する。
すなわち、請求項１に係る運転状態表示セットは、複数種類の運転状態を択一的に選択することができるドア装置の、選択された運転状態を表示する運転状態表示セットであって、前記ドア装置に固定して取り付けられる磁性体材料からなる基台シートと、前記基台シートに磁力によって着け外し可能にされた磁性体材料からなる複数の取替シートとを有し、前記複数種類の運転状態のそれぞれに対応して前記運転状態を表示する複数種類の文字及び絵のそれぞれが、前記基台シート及び前記取替シートのそれぞれの表示側外面に設けられていることを特徴とする。
【０００８】
請求項１に係る運転状態表示セットにあっては、複数種類の運転状態のそれぞれに対応してその運転状態を表示する複数種類の文字及び絵のそれぞれが、磁力によって互いに着け外し可能にされた基台シート及び取替シートのそれぞれの表示側外面に設けられたものとなっている。これによって、選択されているドア装置の運転状態に合わせて、その運転状態に対応した文字及び絵が設けられた表示側外面が通行者に視認されるように、基台シート若しくは取替シートの表示側外面が最外面に露出されればよいこととなる。具体的に言えば、選択されているドア装置の運転状態に対応する文字及び絵が、基台シートの表示側外面に設けられた文字及び絵となっている場合には、この基台シートの表示側外面が最外面に露出されるように取替シートを外した状態にすれば、通行者に視認させることができる。また、選択されているドア装置の運転状態に対応する文字及び絵が、一の取替シートの表示側外面に設けられた文字及び絵となっている場合には、この一の取替シートの表示側外面が最外面に露出されるように、この一の取替シートを基台シートの上に磁力によって着ければ、通行者に視認させることができる。
【０００９】
ここで、この基台シート及び取替シートは、互いに磁性体材料からなるもので構成されており、磁力によって互いに着け外し可能となっているので、容易に且つ素早く、これらを選択して着け外して取り替えることができる。従って、ドア装置の運転状態を適宜に変更した場合であっても、通行者に、現在のドア装置の運転状態を視認させることができるように、ドア装置の運転状態が表示される。
【００１０】
請求項２に係る運転状態表示セットは、請求項１に記載の運転状態表示セットにおいて、前記基台シートが鉄製の薄板からなり、前記取替シートが軟性磁性体材料で形成されたシートからなることを特徴とする。
【００１１】
請求項２に係る運転状態表示セットにあっては、基台シートが鉄製の薄板から構成されると共に、取替シートが軟性磁性体材料で形成されたシートから構成されているので、取替シートは、基台シートに着け易くなると共に、取り外す際にも好ましく外すことができる。
【００１２】
請求項３に係る運転状態表示セットは、請求項１または請求項２に記載の運転状態表示セットにおいて、前記基台シートが、前記ドア装置を構成するドア本体の一部で構成されていることを特徴とする。
【００１３】
請求項３に係る運転状態表示セットにあっては、基台シートがドア装置を構成するドア本体の一部で構成されているので、基台シートを新たにドア装置に設置すること必要がなくなり、このドア装置自体の美観を損ねることがなくなる。従って、基台シートが設けられながら、ドア装置自体の美観を維持できる。
【００１４】
請求項４に係る運転状態表示セットは、請求項１から請求項３の何れか一項に記載の運転状態表示セットにおいて、前記取替シート同士が、磁力によって互いに着け外し可能にされていることを特徴とする。
【００１５】
請求項４に係る運転状態表示セットにあっては、取替シート同士を、磁力によって互いに着け外しすることができるので、基台シートに取り付けられた取替シートの上に、さらに取替シートを磁力によって接着させて取り付けることができる。つまり、複数種類の文字及び絵がそれぞれに設けられた取替シートを重畳的に接着させることができるので、最外面に露出させるべき取替シート以外の取替シートを、別途で保管する必要が省略される。従って、使用されない取替シートを、紛失し難いものとなる点において好ましいものとなる。
【００１６】
請求項５に係る運転状態表示セットは、請求項１から請求項４の何れか一項に記載の運転状態表示セットにおいて、前記複数種類の文字及び絵のうち、異なる２種類の文字及び絵のそれぞれが設けられる表示側外面が、前記取替シートの両面に設けられていることを特徴とする。
【００１７】
請求項５に係る運転状態表示セットにあっては、前記複数種類の文字及び絵のうち、異なる２種類の文字及び絵のそれぞれが設けられる表示側外面が、前記取替シートの表と裏との両面に設けられているので、１つの取替シートで２種類の文字及び絵が設けられるものとなって、取替シートの節減に貢献すると共に、紛失し難いものとなる点において好ましいものとなる。
【００１８】
請求項６に係る運転状態表示セットは、請求項１から請求項５の何れか一項に記載の運転状態表示セットにおいて、前記文字及び絵が、「自動ドア」、「半自動ドア」、「アシストドア」、「手動ドア」のうちの何れか若しくは全てを、互いに識別可能に記載して構成されていることを特徴とする。
【００１９】
請求項６に係る運転状態表示セットにあっては、文字及び絵が、「自動ドア」、「半自動ドア」、「アシストドア」、「手動ドア」のうちの何れか若しくは全てを、互いに識別可能に記載して構成されているので、通行者に、ドア装置の運転状態が、これら「自動ドア」、「半自動ドア」、「アシストドア」、「手動ドア」のうちの何れかとなっていることを、視認させることができる。従って、通行者は、視認によってドア装置の運転状態を識別することができ、この識別によって、ドア装置に適切に対応することができる。
【考案の効果】
【００２０】
この考案に係る運転状態表示セットによれば、複数種類の運転状態を択一的に選択することができるドア装置の、選択された運転状態を識別可能に表示するものであって、運転状態が切り替えられた際に、素早く且つ簡単に、その運転状態に対応した表示に切り替えることができる。また、設置コストの低減ができ、さらにドア装置全体の意匠性も損ねることがない。
【考案を実施するための最良の形態】
【００２１】
以下、この考案に係る運転状態表示セットの最良の実施形態について、図面を参照しながら説明する。
図１に記載される符号１は、この考案に係る運転状態表示セットであり、符号２は、その運転状態表示セット１が設置されるドア装置である。まず、このドア装置２について説明すると、ドア装置２は、建物Ｂの出入口等に設置されるものであって、スライド移動可能なドア本体５１と、このドア本体５１の上方に設けられた駆動装置５５とを具備して大略構成されている。このドア本体５１は、駆動装置５５の駆動力によってスライド移動するようになっている。そして、このドア本体５１のスライド移動によって、この建物Ｂの出入口等が開閉されるものとなっている。
【００２２】
駆動装置５５は、図１に示すように、ドア本体５１の上方に設けられており、ドア本体５１をスライド移動させるためのものである。この駆動装置５５は、簡単に説明すると、建物Bの壁部に固定して取り付けられたベース６１と、このベース６１の一端側に設けられた駆動モータ６２と、この駆動モータ６２に直接的に取り付けられた駆動プーリ６３ａとを具備している。さらに、この駆動プーリ６３ａには、このベースの他端側に設けられた従動プーリ６３ｂと共に、タイミングベルト６４が巻回されている。おり、このタイミングベルト６４には、ドア本体５１のスライド移動方向に沿って移動する懸架車６５が連結されている。そして、この懸架車６５には、上述したドア本体５１が連結されており、駆動モータ６２の回転によって懸架車６５は移動して、この懸架車６５の移動にしたがって、ドア本体５１はスライド移動するようになっている。なお、符号６６は、ドア本体５１のスライド移動を安定して移動させるための補助懸架車であり、符号６９は、このドア装置２の枠体である。
【００２３】
この駆動装置５５には、上述した駆動モータ６２の回転を制御する制御装置６６が内蔵されている。この制御装置６６は、図示されていない適宜の検出器等によって所定の検出がされた場合に所定の処理を行い、この処理の結果に基づいて駆動モータ６２の回転を制御するようになっている。この予め設定されている複数種類の処理にあっては、このドア装置２が複数種類の運転状態で運転されるように、一連の処理が複数種類で備えられたものとなっている。この制御装置６６には、この制御装置６６における、この複数種類の処理を択一的に選択して切り替えることができる運転切替スイッチ３が接続されている。運転切替スイッチ３は、駆動装置５５等の適宜の箇所に取り付けられてよいものであるが、図示例のドア装置２にあっては、枠体６９に取り付けられている。このようにして、この複数種類の一連の処理は、運転切替スイッチ３によって、択一的に選択することができるようになっており、この運転切替スイッチ３によって、複数種類の一連の処理を択一的に選択して切り替えることによって、このドア装置２の運転状態を切り替えることができるようになっている。
【００２４】
なお、このドア装置２における複数種類の運転状態には、次のような運転状態があり、駆動装置５５に内蔵された制御装置６６によって、駆動モータ６２の回転駆動は制御されている。すなわち、このドア装置２における複数種類の運転状態には、通常自動ドア運転状態と、半自動ドア運転状態と、アシストドア運転状態と、手動ドア運転状態とを備えている。これら各種の運転状態は、上述したように、制御装置６６において、予め設定されている一連の処理に基づき、駆動モータ６２の回転駆動を制御する。なお、これら各種の運転状態は、上述したように、駆動装置５５に設けられた運転切替スイッチ３によって、切り替えることができる。
【００２５】
これら各種の運転状態について具体的に説明すると、通常自動ドア運転状態においては、一般に設置されている自動ドアと同様、このドア装置２に設けられた適宜の検出器（例えば赤外線センサ）によってドア本体５１の前に存在する通行者を検出し、ドア本体５１を自動的にスライド移動させて開けたり閉めたりするようになっている。つまり、駆動装置５５に内蔵された制御装置６６は、検出器の検出に基づいて、ドア本体５１を開く方向にスライド移動させるように駆動モータ６２を回転駆動させる。そして、制御装置６６は、予め設定されている時間が経過後に、ドア本体５１を閉める方向にスライド移動させるように駆動モータ６２を回転駆動させる。
【００２６】
また、半自動ドア運転状態においては、上述した通常自動ドア運転状態における制御に加えて、通行者が意図的にドア本体５１をスライド移動させた場合に、この意図的なスライド移動に対してフレキシブルに対応するようになっている。具体的には、通行者が意図的にドア本体５１をスライド移動させた場合、駆動モータ６２においては、このドア本体５１のスライド移動によって加えられた力が検出される。そうすると、制御装置６６は、この駆動モータ６２の検出に基づいて、駆動モータ６２の回転駆動を制御する。例えば、ドア本体５１が閉じる方向にスライド移動している場合に、駆動モータ６２が、このスライド移動に抗した力を検出したときには、制御装置は、ドア本体５１を閉じる方向へのスライド移動から一転して開く方向へのスライド移動となるように、駆動モータ６２の回転駆動を制御する。また、ドア本体５１が開くようにスライド移動した場合には、予め設定されている時間が経過した後に、ドア本体５１が閉まるようにスライド移動させるように、制御装置６６は、駆動モータ６２の回転駆動を制御する。
【００２７】
また、アシストドア運転状態においては、上述した通常自動ドア運転状態における制御はされずに、通行者が意図的にドア本体５１をスライド移動させた場合に、この意図的なスライド移動に応じてドア本体５１をスライド移動させるようになっている。具体的には、このドア装置２は、上述した通常自動ドア運転状態のように、通行者を検出してドア本体５１を自動的にスライド移動させて開けたり閉めたりするようなことはせずに、通行者の意図的なスライド移動を検出した場合にのみに、制御装置６６は、この検出に沿ってドア本体５１のスライド移動を補助（アシスト）するように、駆動モータ６２の回転駆動を制御する。例えば、ドア本体５１が静止している場合において、通行者がドア本体５１を開けるようにスライド移動させたときには、このスライド移動を駆動モータ６２が検出し、制御装置６６は、ドア本体５１を開く方向へスライド移動するように、駆動モータ６２の回転駆動を制御する。
【００２８】
また、手動ドア運転状態においては、駆動装置への電力供給をオフにして、一般に設置される手動ドアのようにする。つまり、上述した通常自動ドア運転状態、半自動ドア運転状態、アシストドア運転状態とは異なり、駆動モータ６２に対して、回転駆動させるための電力を供給せずに、通行者は、一般に設置される手動ドアのように、ドア本体５１をスライド移動させる。
【００２９】
次に、以上のような複数種類の運転状態を、切替スイッチ３によって択一的に選択した場合に、この選択された運転状態を表示する運転状態表示セット１について説明する。
すなわち、運転状態表示セット１は、図１に示すように、ドア装置２を構成するドア本体５１の中間部の戸先側（通り抜け側）に設けられるものであって、鉄の薄板で構成される基台シート１０と、磁力を発生する磁性体材料で構成される取替シート２０とを含んで構成されている。
【００３０】
基台シート１０について説明すると、基台シート１０は、上述したように、ドア装置２の一部を構成するドア本体５１の中間部の戸先側の箇所に、このドア本体５１に固定して取り付けられている。具体的には、図２に示すように、この鉄の薄板で構成された基台シート１０が、適宜の接着剤によって、ドア本体５１の表面５１ａに固定して取り付けられている。この基台シート１０は、図３（ａ）に示すように、接着面とは反対側の面となる面（以下、表示側外面）１１には、「自動ドア」という文字が記載されていると共に、ドア本体５１の開く際のスライド移動する方向を示す矢印（絵）が記載されている。なお、この表示側外面１１に記載された、「自動ドア」を意味する文字及び絵は、このドア装置２の運転状態が、「通常自動ドア運転状態」となっていることを識別可能に表示するものであり、この記載されて表示される文字及び絵が、このドア装置２の運転状態を表す識別表示部として機能している。
【００３１】
上述の基台シート１０においては、磁力によって引きつけられる特性（磁性体としての特性）を有した鉄の薄板で構成されるものであったが、この基台シート１０は、磁力によって引きつけられる特性さえを有していれば、言い換えれば、磁性体としての特性を発揮することができるようになっていれば、これに限定されることなく、適宜に変更を加えて構成することができる。例えば、この基台シート１０を、この鉄の薄板に替えて、軟性磁性体材料によって構成されるものであってもよい。また、基台シート１０は、ドア本体５１に対して接着剤によって完全に固定して取り付けられるものに限定されず、例えば、自らが磁化され、その磁化された磁力によってドア本体５１に着け外しされるものであってもよい。
【００３２】
次に、取替シート２０について説明すると、この取替シート２０は、磁力を発生する磁性体材料からなるものであって、詳しくは、軟磁性体材料を薄板状（シート状）にして構成されている。また、この取替シート２０は、磁化されて自身で磁力を発生するように構成されている。これによって、この取替シート２０は、磁性体材料とされる鉄で形成された基台シート１０に磁力によって接着可能となっている。つまり、図２に示すように、取替シート２０は、基台シート１０の表示側外面１１を覆うように、この表示側外面と接して接着する。そして、この取替シート２０は、この基台シート１０の表示側外面１１と接する面（以下、接着側外面）とは反対側の面が、表示側外面２１とされており、この表示側外面２１に、このドア装置２の運転状態を識別可能に表示する文字及び絵が記載されている。
【００３３】
上述した取替シート２０は、図２においては、１枚のみしか図示されていないが、この取替シート２０は、計３枚用意されたものとなっており、それぞれの取替シート２０（２０ａ，２０ｂ，２０ｃ）の表示側外面２１（２１ａ，２１ｂ，２１ｃ）には、図３（ｂ）〜図３（ｄ）に示すように、３種類の文字及び絵のうち１組の文字及び絵が選択されて記載されている。具体的には、図３（ｂ）の取替シート２０ａ（２０）の表示側外面２１ａ（２１）には、「手動ドア」という文字が記載されていると共に、ドア本体５１の手動によってスライド移動をする方向を示す矢印（絵）と、このドア本体５１が手によって開かせることが可能な旨を示す手（絵）とが記載されている。
また、図３（ｃ）の取替シート２０ｂ（２０）の表示側外面２１ｂ（２１）には、「アシストドア」という文字が記載されていると共に、ドア本体５１の開く際の補助（アシスト）によってスライド移動をする方向を示す矢印（絵）と、このドア本体５１が手によって開かせることが可能な旨を示す手（絵）とが記載されている。
さらにまた、図３（ｄ）の取替シート２０ｃ（２０）の表示側外面２１ｃ（２１）には、「半自動ドア」という文字が記載されていると共に、ドア本体５１の開く際の半自動によってスライド移動をする方向を示す矢印（絵）と、このドア本体５１が手によって開かせることが可能な旨を示す手（絵）とが記載されている。つまり、この３種類の取替シート２０ａ，２０ｂ，２０ｃのそれぞれの表示側外面（接着面とは反対側の面）２１ａ，２１ｂ，２１ｃには、「手動ドア」、「アシストドア」、「半自動ドア」という文字のうちの何れかが１つずつ記載されていると共に、この文字の記載に合わせて、それぞれドア本体５１が開く際にスライド移動する方向の矢印及び手を示す絵が記載されている。
【００３４】
なお、この３つの取替シート２０ａ，２０ｂ，２０ｃのそれぞれの表示側外面２１ａ，２１ｂ，２１ｃに記載された、「手動ドア」、「アシストドア」、「半自動ドア」を意味する文字及び絵は、このドア装置２の運転状態が、「手動ドア運転状態」、「アシストドア運転状態」、「半自動ドア運転状態」の何れかとなっていることを識別可能に表示するものであり、この記載されて表示される文字及び絵が、このドア装置２の運転状態を表す識別表示部として機能している。
【００３５】
上述の取替シート２０においては、薄板状（シート状）に形成された軟磁性体材料を磁化して構成されるものであったが、この取替シート２０は、基台シート１０に磁力によって着け外し可能となっていれば、これに限定されることなく、適宜に変更を加えて構成することができる。例えば、この取替シート２０を、基台シート１０に磁力によって着け外し可能とされた、適宜に磁化された鉄の薄板によって構成されるものであっても何ら問題のないものとされる。
【００３６】
以上のように構成された運転状態表示セット１にあっては、次のような作用を奏する。すなわち、この運転状態表示セット１にあっては、基台シート１０と取替シート２０とを具備し、これらのシート１０，２０のそれぞれの表示側外面１１，２１に、ドア装置２のそれぞれの運転状態「通常自動ドア運転状態」、「手動ドア運転状態」、「アシストドア運転状態」、「半自動ドア運転状態」を識別可能に表示する「自動ドア」、「手動ドア」、「アシストドア」、「半自動ドア」のそれぞれが、文字及び絵によって記載されている。また、基台シート１０と取替シート２０とは、磁力によって互いに着け外し可能にされている。これによって、このドア装置２の、切替スイッチ３によって複数種類の運転状態から択一的に選択された運転状態（「通常自動ドア運転状態」、「手動ドア運転状態」、「アシストドア運転状態」、「半自動ドア運転状態」）に合わせて、その運転状態に対応した文字及び絵（「自動ドア」、「手動ドア」、「アシストドア」、「半自動ドア」）を記載した基台シート１０若しくは取替シート２０の表示側外面１１，２１（２１ａ，２１ｂ，２１ｃ）を、最外面に露出するように設置させることができる。このように、ドア装置２の運転状態に対応した文字及び絵（「自動ドア」、「手動ドア」、「アシストドア」、「半自動ドア」）を記載した基台シート１０若しくは取替シート２０の表示側外面１１，２１（２１ａ，２１ｂ，２１ｃ）が、最外面に露出されるように設置した場合、通行者に、このドア装置２が何れの運転状態となっているかを視認させることができる。これによって、通行者は、視認によってドア装置の運転状態を識別することができ、この識別によって、ドア装置に適切に対応することができる。
【００３７】
例えば、上述の切替スイッチ３によって選択されたドア装置２の運転状態が、「通常自動ドア運転状態」となっている場合には、基台シート１０の表示側外面１１に記載された「自動ドア」が最外面に露出されるように、取替シート２０（２０ａ，２０ｂ，２０ｃ）の全てを、この基台シート１０から外した状態にすればよい。そうすると、現在、このドア装置２が「通常自動ドア運転状態」で運転されていることを、通行者に視認させることができる。
一方、上述の切替スイッチ３によって選択されたドア装置２の運転状態が、「手動ドア運転状態」となっている場合には、基台シート１０の表示側外面１１を覆うように、取替シート２０ａを着ければよい。そうすると、この取替シート２０ａの表示側外面２１ａに記載された「手動ドア」が最外面に露出されることとなって、通行者に、現在、このドア装置２が「手動ドア運転状態」で運転されていることを視認させることができる。
また、上述の切替スイッチ３によって選択されたドア装置２の運転状態が、「アシストドア運転状態」となっている場合には、基台シート１０の表示側外面１１を覆うように、取替シート２０ｂを着ければよい。そうすると、この取替シート２０ｂの表示側外面２１ｂに記載された「アシストドア」が最外面に露出されることとなって、通行者に、現在、このドア装置２が「アシストドア運転状態」で運転されていることを視認させることができる。
また、上述の切替スイッチ３によって選択されたドア装置２の運転状態が、「半自動ドア運転状態」となっている場合には、基台シート１０の表示側外面１１を覆うように、取替シート２０ｃを着ければよい。そうすると、この取替シート２０ｃの表示側外面２１ｃに記載された「半自動ドア」が最外面に露出されることとなって、通行者に、現在、このドア装置２が「半自動ドア運転状態」で運転されていることを視認させることができる。
【００３８】
ここで、この基台シート１０は鉄の薄板で構成され、取替シート２０は、この鉄の薄板で構成された基台シート１０に対して着け外し可能とされた磁性体材料から構成されているので、取替シート２０を、ドア本体５１に固定して取り付けられた基台シート１０に対して、容易に且つ素早く着けたり外したりすることができる。従って、ドア装置２の運転状態が、切替スイッチ３によって切り替えられたとしても、これに瞬時に対応して、ドア装置２の運転状態の表示も、容易に且つ素早く切り替えることができる上、切り替えられた表示も、通行者にとって分かり易いものとなっている。
【００３９】
なお、上述した運転状態表示セット１にあっては、切替スイッチ３によって切り替えられるドア装置２の運転状態が、「通常自動ドア運転状態」、「手動ドア運転状態」、「アシストドア運転状態」、「半自動ドア運転状態」、の４種類であったので、このドア装置２の中心的運転状態とされる「通常自動ドア運転状態」を意味する「自動ドア」を、基台シート１０に記載し、残りの「手動ドア運転状態」、「アシストドア運転状態」、「半自動ドア運転状態」を意味する「手動ドア」、「アシストドア」、「半自動ドア」を、３つの取替シート２０（２０ａ，２０ｂ，２０ｃ）に記載して構成されるものとしていた。しかしながら、この考案に係る運転状態表示セットにあっては、上述の実施の形態に限定されることなく、ドア装置が備える運転状態の種類に合わせて、取替シートの数量、及び基台シート及び取替シートに記載される内容が設定されて構成されるものであればよい。つまり、他の運転状態を識別可能に表示する取替シート２０を新たに設けたり、この３つの取替シート２０のうちの何れかを省略したりして、構成されるものであっても、本考案の趣旨から逸脱するものではない。また、基台シート１０及び取替シート２０における表示側外面１１，２１に記載される文字及び絵は、図示された例に限定されることなく、適宜な文字及び絵を選択することができる。また、基台シート１０の表示側外面に記載される文字及び絵は、「通常自動ドア運転状態」を意味する「自動ドア」に関する記載に限定されず、「手動ドア運転状態」、「アシストドア運転状態」、「半自動ドア運転状態」の何れかを意味する「手動ドア」、「アシストドア」、「半自動ドア」に関する何れかの記載であっても、何ら問題のないものとされる。
【００４０】
なお、上述した運転状態表示セット１にあっては、基台シート１０が、ドア本体５１に固定して取り付けられるものとなっていたが、図４に示すように、この基台シート１０自体が、ドア本体５１の一部として構成されるものであってもよい。具体的には、この基台シート１０が設置される箇所とされるドア本体５１の一部を磁性体材料とされる鉄で構成し、上述した「自動ドア」に関する記載が、この箇所に刻印されるように基台シート１０Ａが構成されるものであってもよい。このように、基台シート１０自体がドア本体５１の一部として構成された運転状態表示セット１Ａにあっては、新たに、基台シート１０をドア装置２に設置すること必要がなくなり、このドア装置２自体の美観を損ねることがなくなる。従って、基台シート１０が設けられながら、ドア装置２自体の美観を維持できる。なお、上述の実施の形態と同一に構成される箇所については、同一の符号を付して説明を省略する。
【００４１】
また、上述した運転状態表示セット１にあっては、取替シート２０が、基台シート１０の表示側外面１１に接して、磁力によって１つずつ着け外しするように構成されるものとなっていた。しかしながら、この取替シート２０にあっては、図５に示すように、この取替シート２０同士が磁力によって互いに着け外し可能に構成されるものであってもよい。このように構成された運転状態表示セット１Ｂにあっては、使用されない取替シート２０（２０ａ，２０ｂ，２０ｃ）を、露出させるべき取替シート２０（２０ａ，２０ｂ，２０ｃ）と、基台シート１０との間に重ねて（重畳的に）設置することができ、使用されていない取替シート２０を別途で保管する必要が省略される。従って、この取替シート２０を紛失させ難くして保管することができる。なお、上述の実施の形態と同一に構成される箇所については、同一の符号を付して説明を省略する。
【００４２】
また、上述した運転状態表示セット１つの取替シート２０（２０，２０ｂ，２０ｃ）にあっては、片側面のみを表示側外面２１（２１，２１ｂ，２１ｃ）として構成し、複数種類の文字及び絵のうちの一ずつが記載されるものとなっていた。しかしながら、特に図に示さないが、異なる運転状態を意味する２種類の文字及び絵のそれぞれを、前記取替シート２０の表と裏に記載されるものであってもよい。つまり、取替シート２０の両側面を表示側外面として構成し、この２つの表示側外面に、複数種類の文字及び絵のうちの一つずつが記載されるものであってもよい。このように取替シート２０が構成された場合には、１つの取替シートで、異なる運転状態を意味する２種類の文字及び絵を有することとなるので、取替シートの枚数を削減することができて、コスト面等において有利なものとなる上、保管上においても紛失し難くなる。なお、この場合には、この１つの取替シート２０のうち、何れの表示側外面が露出される場合であっても、取替シート２０は磁力によって基台シート１０に好ましく着けられるように、取替シート２０は適宜に磁化されている。
【００４３】
また、この考案に係る運転状態表示セットは、上述したような実施の形態に限定されるものではなく、この考案の趣旨を逸脱しない範囲において適宜に選択して構成することができる。例えば、基台シート１０及び取替シート２０の外観形状は、上述の実施の形態に限定されることなく、適宜の外観形状を選択することができる。また、これらの基台シート及び取替シートの表示側外面１１，２１に記載される文字や絵にあっても、上述の実施の形態に限定されることなく、識別可能な文字及び絵等を適宜に選択することができる。
【図面の簡単な説明】
【００４４】
【図１】建物に設けられた運転状態表示セットを備えるドア装置の正面図である。
【図２】基台シート及び取替シートの斜視図である。
【図３】基台シートの表示側外面に記載される文字及び絵（文字及び絵）である。
【図４】基台シートがドア本体の一部で構成されている例を示す斜視図である。
【図５】基台シートと、その上に２枚の取替シートが重ねて取り付けられている例を示す斜視図である。
【符号の説明】
【００４５】
１    運転状態表示セット
１０    基台シート
１１    表示側外面
２０    取替シート
２１    表示側外面
５１    ドア本体
５５    駆動装置
６６    制御装置
【図１】
0003116248.tif 000003
【図２】
0003116248.tif 000004
【図３】
0003116248.tif 000005
【図４】
0003116248.tif 000006
【図５】
0003116248.tif 000007